(57)【要約】      （修正有）【課題】血圧計本体ケースに設けた加圧エア供給ポートとカフから導出するエアチューブ間に接続される簡潔な構成の定速排気弁内蔵エアソケットを提供する。【解決手段】血圧計本体内のエアポンプと外部カフとを接続する加圧エア供給路の途中に定速排気弁内蔵のエアソケットを設ける。エアソケット筐体には、第１の空気通路が開口し、血圧計本体ケースの加圧エア供給ポートに挿着可能なポンプ側プラグと、第１の空気通路に連通する第２の空気通路が開口し、カフから導出するエアチューブに接続されるカフ側プラグが形成され、第１，第２の空気通路の連通路に、筐体外部から調速可能な定速排気弁を設けた。大きさが大、中、小と異なるカフユニット（Ｕ１，Ｕ２，Ｕ３）を揃えておき、腕の太さに応じた最適のカフユニットを選択して血圧計本体とカフとを接続することで、簡単かつ高精度に血圧測定を行うことができる。【選択図】  図１
2005000377.tif 000002
【特許請求の範囲】
【請求項１】
血圧計本体内のエアポンプと外部カフとを接続する加圧エア供給路の途中に設けられる定速排気弁内蔵エアソケットであって、前記エアソケットを構成する筐体には、第１の空気通路が開口し、血圧計本体ケースに設けられた加圧エア供給ポートに挿着可能なポンプ側プラグと、前記第１の空気通路に連通する第２の空気通路が開口し、カフから導出するエアチューブに挿着可能なカフ側プラグがそれぞれ形成されるとともに、前記第１，第２の空気通路の連通路には、筐体外部から調速可能な定速排気弁が設けられたことを特徴とする血圧計用エアソケット。
【請求項２】
前記定速排気弁の調速手段は、前記筐体に設けられた排気弁挿着孔の開口側に螺着され、回動させることで前記排気弁挿着孔に沿って進退して、前記第１，第２の空気通路の連通路と前記排気弁挿着孔間に配設されている弁体の初期開口量を調整できる調速ねじで構成されたことを特徴とする請求項１に記載の血圧計用エアソケット。
【請求項３】
前記ポンプ側プラグとカフ側プラグが略直交配置されるとともに、前記定速排気弁が前記ポンプ側プラグまたはカフ側プラグと同軸状に配置されて、前記筐体が略Ｔ字型に構成されたことを特徴とする請求項１または２に記載の血圧計用エアソケット。
【請求項４】
前記ポンプ側プラグの空気通路内には、誤挿着防止リブが突設されたことを特徴とする請求項１〜３のいずれかに記載の血圧計用エアソケット。
【請求項５】
エアポンプおよび圧力測定部が収容された血圧計本体と、加圧エアが供給されることで膨張するカフと、前記エアポンプと前記カフとを接続するエア供給路と、前記エア供給路に設けられた定速排気弁とを備えた電子血圧計において、前記定速排気弁が前記血圧計本体ケース外に設けられたことを特徴とする電子血圧計。
【請求項６】
前記定速排気弁は、請求項１〜４のいずれかに記載のエアソケットで構成されたことを特徴とする電子血圧計。
【発明の詳細な説明】
【０００１】
【産業上の利用分野】
本発明はカフから導出するエアチューブと血圧計本体ケースの加圧エア供給ポートとの間に設けられる定速排気弁内蔵エアソケットおよび電子血圧計に関する。
【０００２】
【従来の技術】
一般にコロトコフ法による血圧測定を行う血圧計では、腕に巻き付けたカフにエアを供給して加圧し、その後、微速排気して圧力を下げながらコロトコフ音の発生、消滅を確認して血圧値を測定する。この種の血圧計は、図７に示されるように、圧力測定部Ａを備えた血圧計本体１とチューブ２ａが導出するカフ２とは、プラグ５とソッケト４とで構成されるコネクタ３により接続されている。ソケット４には、エア排気用の排気路６と圧力測定部Ａに連通する空気路７とが設けられており、空気路７より送られるエアがチューブ２ａを介してカフ２に送られて、カフ２を加圧するようになっている。また、チューブ２ｂを介して排気路６に接続された定速排気弁８からエアが微速排気されることで、カフ２の圧力を徐々に下げるようになっている。
【０００３】
なお、図示されていないが、定速排気弁８には、カフ２（排気路６）の圧力がゆっくりと等速度で低下するように排気速度（単位時間あたりの排気量）を調整する調速手段が設けられており、この調速手段によって予めカフ２の大きさ（空気容量）に応じた最適排気速度に調整されている。
【０００４】
符号Ｐは空気路７に加圧エアを送る加圧ポンプで、空気路７の圧力は圧力センサ１０によって検出され、加圧ポンプＰ，圧力センサ１０および圧力回路１２で圧力測定部Ａが構成されている。符号１４は、加圧ポンプＰおよび圧力回路１２に接続された動作制御回路で、符号１６は電源回路、符号１８は表示部である。
【特許文献１】特開平５−２２８１２０号（段落０００２，図１，図７参照）
【発明の解決しようとする課題】
この種の血圧計では、腕に巻き付けたカフにエアを供給して所定値まで加圧する必要があるが、カフは細い腕から太い腕まで捲回できるように大きめに設定されている。しかし、腕の太さに対応しないカフを使用して測定すると、測定精度が悪いとか、特に細い腕の血圧測定ではカフを加圧するのに時間が掛かりすぎる等の問題があり、腕の太さに対応した大きさのカフを使用することが望ましい。
【０００５】
そして、カフには腕の太さに応じた大，中，小３種類存在するが、カフ２と血圧計本体１とはセットとして構成されている。このため、血圧計本体１に、予め接続されているカフとは異なる大きさのカフを接続して使用する場合には、血圧計本体１内の定速排気弁８の排気速度を改めて調整する必要があり、この排気速度の調整はユーザ側で行うことは困難で、メーカーに送って調整してもらうことになる。また、メーカ側において排気速度を調整するにしても、定速排気弁８が血圧計本体１内に設けられていることから、調整作業が面倒で時間もかかる。このため、従来の血圧計において大きさの異なるカフに取り替えて使用することは、実質上、困難なことであった。
【０００６】
このため、従来では、常に高精度の血圧測定を行うためには腕の太さに応じた大きさの異なるカフ毎に専用の血圧計をそれぞれ揃えておく必要があり、一般家庭ではコスト的に到底無理なことであった。
【０００７】
そこで、発明者は、大きさの異なるカフから導出するエアチューブのそれぞれに予め排気速度を調整（カフの容量に応じて調整）した定速排気弁内蔵エアソケットを接続一体化した複数のカフセットを用意しておき、選択した任意のカフセットのエアソケットを血圧計本体ケースに設けた加圧エア供給孔に接続できるように構成すれば、血圧計本体１台で大きさの異なるカフを使い分けることができると考えて、本発明を提案するに至ったものである。
【０００８】
本発明は前記従来技術の問題点および前記した発明者の知見に基づいてなされたもので、その第１の目的は、カフから導出するエアチューブと血圧計本体ケースに設けられた加圧エア供給ポート間に接続可能な簡潔な構成の定速排気弁内蔵エアソケットを提供することであり、その第２の目的は、定速排気弁の排気速度の調整が容易な電子血圧計を提供することにある。
【０００９】
【課題を解決するための手段】
前記目的を達成するために、請求項１に係る血圧計用エアソケットにおいては、血圧計本体内のエアポンプと外部カフとを接続する加圧エア供給路の途中に設けられる定速排気弁内蔵エアソケットであって、前記エアソケットを構成する筐体には、第１の空気通路が開口し、血圧計本体ケースに設けられた加圧エア供給ポートに挿着可能なポンプ側プラグと、前記第１の空気通路に連通する第２の空気通路が開口し、カフから導出するエアチューブに挿着可能なカフ側プラグをそれぞれ形成するとともに、前記第１，第２の空気通路の連通路には、筐体外部から調速可能な定速排気弁を設けるように構成した。
【００１０】
（作用）エアソケットは、筐体の一端にポンプ側プラグが、他端にカフ側プラグが形成され、筐体内部に定速排気弁が設けられ、筐体外部に調速手段が露呈するというコンパクトかつ簡潔な構成である。そして、血圧計本体ケースの加圧エア供給ポートにポンプ側プラグを挿着し、カフから導出するエアチューブにカフ側プラグを挿着することで、血圧計本体とカフとが定速排気弁エアソケットを介して接続された形態となる。
【００１１】
また、カフから導出するエアチューブにカフ側プラグを挿着してカフとエアソケットを接続一体化したカフユニットを予め用意しておけば、エアソケットのポンプ側プラグを血圧計本体ケースの加圧エア供給ポートに挿着するだけで、血圧計本体とカフユニットがエアソケットを介して接続された形態となる。
【００１２】
即ち、例えば大きさが大、中、小と異なる３種類のカフそれぞれから導出するエアチューブに、カフ側プラグを挿入してカフとエアソケットを接続一体化した３種類のカフユニットを構成し、それぞれのエアソケットの定速排気弁をカフの大きさ（空気容量）に対応して調速（排気速度を調整）しておくことで、カフの大きさが異なる３種類のカフユニットを揃えることができる。
【００１３】
そして、例えば、腕に巻き付けて使用するカフについて言えば、女性や子供のようにカフを巻き付ける腕が細い場合には、小型のカフユニットを選択し、そのエアソケットのポンプ側プラグを血圧計本体ケースの加圧エア供給ポートに接続すれば、血圧計本体とカフユニットがエアソケットを介して接続された形態となるので、小型のカフを用いた血圧測定が可能となる。また、腕周りの太い大人の場合には、大型のカフユニットを選択し、そのエアソケットのポンプ側プラグを血圧計本体ケースの加圧エア供給ポートに接続すれば、血圧計本体とカフユニットがエアソケットを介して接続された形態となるので、大型のカフを用いた血圧測定が可能となる。
【００１４】
また請求項２においては、請求項１に係る血圧計用エアソケットにおいて、前記定速排気弁の調速手段を、前記筐体に設けられた排気弁挿着孔の開口側に螺着され、回動させることで前記排気弁挿着孔に沿って進退して、前記第１，第２の空気通路の連通路と前記排気弁挿着孔間に配設されている弁体の初期開口量を調整できる調速ねじで構成するようにした。
【００１５】
（作用）エアソケットはカフから導出するエアチューブに接続一体化されたカフユニットとして構成されており、エアソケットのポンプ側プラグを検査用血圧計本体ケースの加圧エア供給ポートに接続し、血圧計とカフがエアソケットを介し接続された形態にした後、検査用血圧計本体から加圧エアをカフに供給し、定速排気弁の調速手段である調速ねじを回動させることで、定速排気弁を調速（排気速度を調整）する。このとき、エアソケットは検査用血圧計本体ケースの外部にあって、しかも筐体の排気弁挿着孔開口側に調速ねじが露呈しているので、調速ねじを回動操作させ易い。
【００１６】
また請求項３においては、請求項２に係る血圧計用エアソケットにおいて、前記ポンプ側プラグとカフ側プラグを略直交配置するとともに、前記定速排気弁を前記ポンプ側プラグまたはカフ側プラグと同軸状に配置して、前記筐体を略Ｔ字型に構成するようにした。
【００１７】
（作用）エアソケットの筐体が略Ｔ字型であるため、指で掴み易く、カフ側プラグとエアチューブを接続したり、ポンプ側プラグを血圧計本体ケースの加圧エア供給ポートに挿着する作業がし易い。
【００１８】
また、定速排気弁の排気速度の調整は、エアソケットのポンプ側プラグを検査用血圧計本体ケースの加圧エア供給ポートに挿着した形態で行うが、検査用血圧計本体ケース外部のエアソケットの他端部に定速排気弁の調速手段である調速ねじが露呈する形態となり、調速ねじを回動操作させ易い。
【００１９】
また、一般に、加圧エア供給ポートは血圧計本体ケース表面に対し略直交して設けられており、加圧エア供給ポートにポンプ側プラグを挿着して血圧計本体にエアソケットを接続すると、エアソケットのカフ側プラグに接続されたエアチューブは血圧計本体ケース表面に沿って延びる形態となり、エアチューブのエアソケットとの接続部に不測の応力が作用しにくく、また血圧計収納ケース内における血圧計の収納スペースも小さくてよい。
【００２０】
また請求項４においては、前記ポンプ側プラグの空気通路内に誤挿着防止リブを突設するようにされたことを特徴とする請求項１〜３のいずれかに記載の血圧計用エアソケット。
【００２１】
（作用）血圧計本体ケースには、加圧エア供給ポートに似たＡＣアダプタの端子挿着孔が設けられており、この孔にユーザが誤ってエアソケットのポンプ側プラグを差し込むおそれがある。しかし、ＡＣアダプタの端子挿着孔内の中央部には、電極端子ピンが突設されており、挿入されるポンプ側プラグの誤挿着防止リブがこのピンに干渉当接して挿入が阻止されて、差し込むことができない。一方、加圧エア供給ポート内には、ポンプ側プラグの誤挿着防止リブが干渉当接する突起は設けられておらず、ポンプ側プラグを加圧エア供給ポートに挿着できる。
【００２２】
請求項６に係る電子血圧計においては、エアポンプおよび圧力測定部が収容された血圧計本体と、加圧エアが供給されることで膨張するカフと、前記エアポンプと前記カフとを接続するエア供給路と、前記エア供給路に設けられた定速排気弁とを備えた電子血圧計において、前記定速排気弁を前記血圧計本体ケース外部に設けるように構成した。
【００２３】
（作用）血圧計本体ケースの外部に定速排気弁が設けられており、血圧計本体の内部に定速排気弁が設けられた従来構造と比べて、定速排気弁の排気量の調整がし易い。
【００２４】
請求項６においては、請求項５に記載の電子血圧計において、前記定速排気弁を、請求項１〜４のいずれかに記載のエアソケットで構成するようにした。
【００２５】
（作用）請求項１の作用の中で説明したように、大きさが異なる複数のカフから導出するエアチューブに定速排気弁内蔵エアソケットを接続一体化した複数種のカフユニットであって、エアソケット内の定速排気弁の排気速度調整済みのものを揃えておき、女性や子供のようにカフを巻き付ける腕が細い場合には小型のカフユニットを選択し、一方、腕周りの太い大人の場合には大型のカフユニットを選択し、選択したカフユニットのエアソケットを血圧計本体に接続すれば、血圧計本体とカフユニットがエアソケットを介して接続された形態となって、カフを巻き付ける腕の太さに応じた最適のカフを用いた血圧測定が可能となる。
【００２６】
【発明の実施の形態】
次に、本発明の実施の形態を実施例に基づいて説明する。
【００２７】
図１〜図６は本発明の一実施例を示し、図１は本発明に係る電子血圧計の実施例の全体構成図、図２は本発明に係る血圧計用エアソケットの実施例の分解斜視図、図３は同エアソケットの平面図、図４は同エアソケット右側面図、図５は同エアソケットの縦断面図（図４に示す線ＩＶ−ＩＶに沿う断面図）、図６は大きさの異なる３種類のカフそれぞれに同エアソケットを接続一体化した３種類のカフユニットの平面図である。
【００２８】
図１において、符号１Ａは、圧力測定部Ａを備えた血圧計本体で、血圧計本体ケースの外側面１ａには、加圧ポンプＰに連通する加圧エア供給ポート２１が開口するエアソケット２０が設けられている。血圧計本体１Ａの内部には、加圧ポンプＰや圧力測定部Ａ等が収容されており、その基本構成は、図７に示す従来の血圧計本体１の基本構成と同一であり、同一の部分は同一の符号を付すことで、その重複した説明は省略する。
【００２９】
符号２は、加圧エアが供給されることで膨張するカフで、カフ２から導出するエアチューブ２ａの先端には、定速排気弁内蔵エアソケット３０の一端部が接続され、この定速排気弁内蔵エアソケット３０の他端部は、血圧計本体１Ａケースの外側面１ａに設けられた本体側エアソケット２０（加圧エア供給ポート２１）に接続されている。
【００３０】
定速排気弁内蔵エアソケット３０は、ポリアセタール樹脂で構成された筐体３１全体がＴ字型に形成されており、図２に拡大して示すように、筐体３１の一端部には、空気通路３３が開口し、カフ２から導出するエアチューブ２ａが接続されるカフ側プラグ３２が形成され、カフ側プラグ３２に直交する他端部には、空気通路３３に連通する空気通路３５が開口し、本体側エアソケット２０（加圧エア供給ポート２１）に挿着されるポンプ側プラグ３４が形成され、カフ側プラグ３２と同軸で反対側の端部には、内蔵する定速排気弁４０の排気速度を調整する調速ねじ４６が設けられている。
【００３１】
一方、本体側エアソケット２０は軟質ウレタンゴムで構成されるとともに、図５に示すように、その内周面には凸部２０ａが周設され、一方、ポンプ側プラグ３４の外周面にも凸部２０ａに係合する凸部３４ａが周設されている。そして、エアソケット３０を指で掴みポンプ側プラグ３４を本体側エアソケット２０（加圧エア供給孔２１）に圧入すると、プラグ３４外周面とエアソケット２０（加圧エア供給孔２１）内周面が密着するとともに、凸部３４ａが凸部２０ａに係合して、エアソケット３０（ポンプ側プラグ３４）が本体側エアソケット２０（加圧エア供給孔２１）に対し抜け止め保持される。即ち、エアソケット３０が本体側エアソケット２０（加圧エア供給孔２１）に接続された形態となる。また、指で掴んだエアソケット３０を強く引っ張れば、本体側エアソケット２０（加圧エア供給孔２１）からエアソケット３０（ポンプ側プラグ３４）を抜き出すことができる。
【００３２】
また、ポンプ側プラグ３４の空気通路３５内には、誤挿着防止リブ３５ａが突設されており、プラグ３４を誤ってエアソケット２０（加圧エア供給ポート２１）以外の孔に挿着できないようになっている。即ち、血圧計本体ケース１ａには、エアソケット２０（加圧エア供給ポート２１）に似たＡＣアダプタの端子挿着孔（図示せず）が設けられており、この孔にユーザが誤ってエアソケット３０のポンプ側プラグ３４を差し込むおそれがある。しかし、ＡＣアダプタの端子挿着孔内の中央部には、電極端子ピンが突設されており、挿入されるポンプ側プラグ３４の誤挿着防止リブ３５ａがこのピンと干渉当接して挿入が阻止されて、差し込むことができない。一方、本体側エアソケット２０（加圧エア供給ポート２１）内には、ポンプ側プラグ３４の誤挿着防止リブ３５ａと干渉する突起が一切設けられておらず、ポンプ側プラグ３４を本体側エアソケット２０（加圧エア供給ポート２１）に挿着できる。
【００３３】
一方、カフ側プラグ３２は、先細テーパ形状に形成されており、カフ２から導出するエアチューブ２ａの先端にスムーズに圧入することができる。
【００３４】
また、本体側エアソケット２０（加圧エア供給孔２１）は本体ケースの外側面１ａに対し略直交して設けられており、本体側エアソケット２０（加圧エア供給孔２１）にポンプ側プラグ３４を挿着して血圧計本体１Ａにエアソケット３０を接続すると、図５に示すように、エアソケット３０のカフ側プラグ３２に接続されたエアチューブ２ａは血圧計本体ケースの外側面１ａに沿って延びる形態となり、エアチューブ２ａのエアソケット３０との接続部に不測の応力が作用しにくく、また血圧計収納ケース（図示せず）内における血圧計の収納スペースも小さくてよい。
【００３５】
また、筐体３１の外周面には、補強リブ３８が略等間隔に設けられて、エアソケット３０（筐体３１）の剛性強度が高められている。この補強リブ３８は、エアソケット３０（筐体３１）を指で掴む際の滑り止めとしても機能する。
【００３６】
また、筐体３１内には、カフ側プラグ３２の中央に形成されている空気通路３３とポンプ側プラグ３４の中央に形成されている空気通路３５とが直交するように配設されており、両空気通路３３，３５の交差する連通部３３ａ位置から空気通路３３と同軸状に弁挿着孔３６が配設され、この弁挿着孔３６に定速排気弁４０が挿着されている。
【００３７】
即ち、定速排気弁４０は、先端部が閉塞された円筒形状に形成され、その側面に縦スリット４２が設けられた軟質シリコン製弁体４１と、弁体４１の開口基部に係合する段付き円筒型の先頭４４と、弁挿着孔３６の雌ねじ部３７に螺着され、その先端部を先頭４４の基端部に係合させた形態に保持された調速ねじ４６で構成されている。先頭４４の先端部には小孔４４ａが設けられ、調速ねじ４６の中央部にも縦孔４６ａが設けられて、弁体４１の縦スリット４２，先頭４４の小孔４４ａおよび調速ねじ４６の縦孔４６ａによって排気弁４０の排気通路が構成されている。符号４５は、調速ねじ４６と弁挿着孔３６間に密着するように介装されたＯリングで、弁挿着孔３６を封止するとともに、調速ねじ４６の周方向位置を拘束するためのものである。
【００３８】
そして、弁挿着孔３６から露呈する調速ねじ４６の後端部には、マイナスドライバが係合できる係合溝４７が設けられており、ドライバを使って調速ねじ４６を回動させると、調速ねじ４６は回動しながら進退動作し、これにより、定速排気弁４０の縦スリット４２の初期開口量を増減調整できる。例えば、調速ねじ４６を前進させると、弁体４１の開口側基端部が先頭４４に押圧されて弁体外側壁が膨張するように引っ張られて、縦スリット４２が拡げられて、定速排気弁４０（縦スリット４２）の初期開口量が増える。したがって、カフ２が大きい（空気容量が大きい）場合には、調速ねじ４０を前進方向に回動して、定速排気弁４０の初期開口量を増やし、逆に、カフ２が小さい（空気容量が小さい）場合には、調速ねじ４０を後退方向に回動して、定速排気弁４０の初期開口量を減らして、定速排気弁４０の排気速度（カフ２の圧力降下速度）を一般に好ましいとされている適正値に調整することができる。
【００３９】
このように、本実施例では、従来の血圧計の場合ように血圧計本体内部に定速排気弁が設けられておらず、血圧計本体１Ａの外部に定速排気弁４０が設けられているので、それだけ調速ねじ４６を回動して定速排気弁４０の排気速度を調整する作業が容易となる。
【００４０】
また、カフ２とエアソケット３０とは、カフ２から導出するエアチューブ２ａにエアソケット３０を予め接続一体化したカフユニットＵとして構成されており、エアソケット３０を血圧計本体１Ａに接続することで、血圧計として構成されるようになっている。
【００４１】
即ち、図６に示すように、大きさが大、中、小と異なる３種類のカフ２Ａ，２Ｂ，２Ｃから導出するエアチューブ２ａにエアソケット３０がそれぞれ接続されることで、３種類のカフユニットＵ１，Ｕ２，Ｕ３が構成されている。勿論、それぞれのカフユニットＵ１，Ｕ２，Ｕ３におけるエアソケット３０内の定速排気弁４０の排気速度は、調速ねじ４６を使ってカフ２Ａ，２Ｂ，２Ｃの大きさ（空気容量）に対応するように予め調整済みである。
【００４２】
そして、女性や子供のようにカフを巻き付ける腕が細い場合には、小型のカフユニットＵ１を選択し、そのエアソケット３０のポンプ側プラグ３４を血圧計本体１Ａのエアソケット２０（加圧エア供給ポート２１）に接続すれば、血圧計本体１ＡとカフユニットＵ１がエアソケット３０を介して接続された形態となるので、女性や子供に対しては小型のカフ２Ａを用いた血圧測定を行うことができる。一方、腕周りの太い大人の場合には、大型のカフユニットＵ３を選択し、そのエアソケット３０のポンプ側プラグ３４を血圧計本体１Ａのエアソケット２０（加圧エア供給ポート２１）に接続すれば、血圧計本体１ＡとカフユニットＵ３がエアソケット３０を介して接続された形態となるので、腕周りの太い大人に対しては大型のカフ２Ｃを用いた血圧測定を行うことができる。
【００４３】
なお前記した実施例では、エアソケット３０の筐体３１は、カフ側プラグ３２と同軸で反対側の端部に調速ねじ４６が配置されたＴ字型に構成されているが、この配置に限られるものではなく、例えば、カフ側プラグ３２とポンプ側プラグ３４とを逆に配置して、ポンプ側プラグ３４と同軸で反対側の端部に調速ねじ４８を配置するように構成してもよい。
【００４４】
また、前記した実施例では、血圧計本体ケースに設けられた加圧エア供給ポートと、外部カフから導出するエアチューブとの間に定速排気弁内蔵エアソケットが設けられた構成として説明したが、定速排気弁内蔵エアソケットは、血圧計本体ケースに設けられた加圧エア供給ポートと外部カフとを接続するエア供給路の途中に設けるように構成してもよい。
【００４５】
また、前記した実施例では、腕用電子血圧計を例にあげて本発明を説明したが、手首用や指用の電子血圧計についても同様に適用できることはいうまでもない。
【００４６】
【発明の効果】
以上の説明から明らかなように、請求項１に係る血圧計用エアソケットによれば、コンパクトかつ簡潔な構成の定速排気弁内蔵エアソケットを提供できる。
【００４７】
また、一台の血圧計本体と、大きさが異なるカフそれぞれから導出するエアチューブにエアソケットをそれぞれ接続一体化した複数のカフユニットを予め用意しておき、カフを巻き付ける測定対象に最適なカフユニットを選択して血圧計本体に接続することで、誰でも簡単かつ手軽に高精度の血圧測定を行うことができる。
【００４８】
請求項２によれば、調速ねじの回動操作が容易なため、定速排気弁の排気速度を簡単に調整することができる。
【００４９】
請求項３によれば、エアソケットの筐体がでつかみ易い略Ｔ字型であるため、エアソケットを介してカフと血圧計本体をスムーズに接続できるので、それだけ迅速に血圧測定を開始できる。
【００５０】
また、エアソケットを検査用血圧計本体に接続した形態で行う調速ねじの回動操作がし易いので、短時間で定速排気弁の排気速度を調整することができる。
【００５１】
また、エアソケットを介して血圧計本体とカフが接続された形態では、エアソケットに接続されたエアチューブが血圧計本体ケース表面に沿って導出するため、血圧計収納ケースをコンパクトにできる。
【００５２】
請求項４によれば、エアソケットと血圧計本体間の誤った接続が回避されるので、エアソケットを介しカフと血圧計本体を適正かつスムーズに接続できることとなって、それだけ迅速に血圧測定を開始できる。
【００５３】
請求項５に係る電子血圧計によれば、血圧計本体の外部に定速排気弁が設けられているため、定速排気弁が血圧計本体の内部に設けられた従来構造と比べて、定速排気弁の排気量の調整作業が容易となって、電子血圧計の生産コストを低減できる。
【００５４】
請求項６によれば、大きさが異なるカフそれぞれから導出するエアチューブにエアソケットをそれぞれ接続一体化した複数のカフユニットを予め用意しておき、カフを巻き付ける測定対象に最適なカフユニットを選択して血圧計本体に接続することで、誰でも簡単かつ手軽に高精度の血圧測定を行うことができる。
【図面の簡単な説明】
【図１】本発明に係る電子血圧計の実施例の全体構成図である。
【図２】本発明に係る血圧計用エアソケットの実施例の分解斜視図である。
【図３】同エアソケットの平面図である。
【図４】同エアソケット右側面図である。
【図５】同エアソケットの縦断面図（図４に示す線ＩＶ−ＩＶに沿う断面図）である。
【図６】大きさの異なる３種類のカフそれぞれに同エアソケットを接続一体化した３種類のカフユニットの平面図である。
【図７】従来の電子血圧計の分解斜視図
【符号の説明】
１Ａ  血圧計本体
１ａ  血圧計本体ケースの外側面
Ａ  圧力検出部
Ｐ  加圧ポンプ
２（２Ａ，２Ｂ，２Ｃ）  カフ
２ａ  エアチューブ
２０  加圧エア供給ポートを形成する血圧計本体側のエアソケット
２１  加圧エア供給ポート
３０  定速排気弁内蔵エアソケット
３１  筐体
３２  カフ側プラグ
３３  第１の空気通路
３３ａ  第１，第２の空気通路の連通路
３４  ポンプ側プラグ
３５  第２の空気通路
３５ａ  誤挿着防止リブ
３６  排気弁挿着孔
４０  定速排気弁
４１  弁体
４６  調速手段である調速ねじ
Ｕ（Ｕ１，Ｕ２，Ｕ３）  カフユニット
【図１】
2005000377.tif 000003
【図２】
2005000377.tif 000004
【図３】
2005000377.tif 000005
【図４】
2005000377.tif 000006
【図５】
2005000377.tif 000007
【図６】
2005000377.tif 000008
【図７】
2005000377.tif 000009